(57)【要約】マルチユーザー全二重伝送環境における無線装置についての送受信スケジューリングのためのシステムおよび方法実施形態が提供される。前記実施形態は、近隣の無線装置の間の干渉回避を可能にする。前記システムおよび方法はチャネル・サウンディングをも可能にする。ある実施形態では、マルチユーザー無線システムにおいて送信をスケジューリングする方法が、送信点によって、前記送信点のカバレッジ・エリア内に位置する複数の無線装置のそれぞれについて近隣の無線装置を判別する段階と、前記送信点によって、前記装置の前記近隣情報に従って前記複数の無線装置のうちのそれぞれのものについての送信スケジュールを決定して、それぞれの無線装置が、該それぞれの無線装置の近隣の無線装置がデータを受信するようスケジューリングされているのとは異なる時間‐周波数資源でデータを送信するようスケジューリングされるようにする段階とを含む。
2016503977.tif 000002
【特許請求の範囲】
【請求項１】
マルチユーザー無線システムにおいて送信をスケジューリングする方法であって：
送信点によって、前記送信点のカバレッジ・エリア内に位置する複数の無線装置のそれぞれについて近隣の無線装置を判別する段階と；
前記送信点によって、前記装置の前記近隣情報に従って前記複数の無線装置のうちのそれぞれのものについての送信スケジュールを決定して、それぞれの無線装置が、該それぞれの無線装置の近隣の無線装置がデータを受信するようスケジューリングされているのとは異なる時間‐周波数資源でデータを送信するようスケジューリングされるようにする段階とを含む、
方法。
【請求項２】
無線装置を、非近隣無線装置が第一の時間‐周波数資源上で前記送信点からデータを受信するようスケジューリングされているのと同時に前記第一の時間‐周波数資源上で、前記送信点にデータを送信するようスケジューリングする段階をさらに含む、請求項１記載の方法。
【請求項３】
無線装置を、非近隣無線装置が第一の時間‐周波数資源上で前記送信点からデータを受信するようスケジューリングされているのと同時に前記第一の時間‐周波数資源上で、チャネル・サウンディング、制御信号伝達および低データ・レート・トラフィックのうちの一つを送信するようスケジューリングする段階をさらに含む、請求項１記載の方法。
【請求項４】
前記複数の無線装置のそれぞれについて近隣の無線装置を判別する段階が、前記複数の無線装置の少なくとも一つから近隣無線装置の識別情報を受信することを含む、請求項１記載の方法。
【請求項５】
前記複数の無線装置のそれぞれについて近隣の無線装置を判別する段階が、前記複数の無線装置の位置を決定することを含む、請求項１記載の方法。
【請求項６】
別のBTSとスケジュールを調整する段階をさらに含む、請求項１記載の方法。
【請求項７】
別のBTSとスケジュールを調整する段階が、当該BTSについての前記カバレッジ・エリア内および前記別のBTSについてのカバレッジ・エリア内の無線装置についての近隣者を判別することを含み、当該BTSについての前記カバレッジ・エリア内の少なくとも一つの無線装置が、前記別のBTSについての前記カバレッジ・エリア内の少なくとも一つの無線装置に対して近隣者である、請求項６記載の方法。
【請求項８】
別のBTSとスケジュールを調整する段階が、当該BTSについての前記カバレッジ・エリア内の前記無線装置および前記別のBTSについてのカバレッジ・エリア内の前記無線装置についてのスケジュールを決定し、該スケジュールを前記別のBTSに送信することを含む、請求項６記載の方法。
【請求項９】
別のBTSとスケジュールを調整する段階が、前記別のBTSからスケジュールを受信することを含む、請求項６記載の方法。
【請求項１０】
前記送信点についての前記カバレッジ・エリアのエッジ上の無線装置に専用の資源が割り当てられる、請求項１記載の方法。
【請求項１１】
前記送信点が全二重モードで動作する、請求項１記載の方法。
【請求項１２】
マルチユーザー全二重伝送無線システムにおいて複数の無線装置のための送信をスケジューリングするよう構成されたネットワーク・コンポーネントであって：
プロセッサと；
前記プロセッサによる実行のためのプログラミングを記憶しているコンピュータ可読記憶媒体とを有しており、前記プログラミングは：
ベース・トランシーバ局（BTS）のカバレッジ・エリア内に位置する前記複数の無線装置のそれぞれについて近隣の無線装置を判別し；
前記複数の無線装置のうちのそれぞれのものについての送信スケジュールを決定して、それぞれの無線装置が、該それぞれの無線装置の近隣の無線装置がデータを受信するようスケジューリングされているのとは異なる時間‐周波数資源でデータを送信するようスケジューリングされるようにする
ための命令を含む、ネットワーク・コンポーネント。
【請求項１３】
前記プログラミングがさらに、無線装置を、非近隣無線装置が第一の時間‐周波数資源上で前記BTSからデータを受信するようスケジューリングされているのと同時に前記第一の時間‐周波数資源上で、前記BTSにデータを送信するようスケジューリングするための命令を含む、請求項１２記載のネットワーク・コンポーネント。
【請求項１４】
前記プログラミングがさらに、無線装置を、非近隣無線装置が第一の時間‐周波数資源上で前記BTSからデータを受信するようスケジューリングされているのと同時に前記第一の時間‐周波数資源上で、チャネル・サウンディング、制御信号伝達および低データ・レート・トラフィックのうちの一つを送信するようスケジューリングするための命令を含む、請求項１２記載のネットワーク・コンポーネント。
【請求項１５】
前記複数の無線装置のそれぞれについて近隣の無線装置を判別するための前記命令が、前記複数の無線装置の少なくとも一つから近隣無線装置の識別情報を受信するための命令を含む、請求項１２記載のネットワーク・コンポーネント。
【請求項１６】
前記複数の無線装置のそれぞれについて近隣の無線装置を判別するための前記命令が、前記複数の無線装置の位置を決定するための命令を含む、請求項１２記載のネットワーク・コンポーネント。
【請求項１７】
前記プログラミングがさらに、別のBTSとスケジュールを調整するための命令を含む、請求項１２記載のネットワーク・コンポーネント。
【請求項１８】
別のBTSとスケジュールを調整するための前記命令が、当該BTSについての前記カバレッジ・エリア内および前記別のBTSについてのカバレッジ・エリア内の無線装置についての近隣者を判別するための命令を含み、当該BTSについての前記カバレッジ・エリア内の少なくとも一つの無線装置が、前記別のBTSについての前記カバレッジ・エリア内の少なくとも一つの無線装置に対して近隣者である、請求項１７記載のネットワーク・コンポーネント。
【請求項１９】
別のBTSとスケジュールを調整するための前記命令が、当該BTSについての前記カバレッジ・エリア内の前記無線装置および前記別のBTSについてのカバレッジ・エリア内の前記無線装置についてのスケジュールを決定し、該スケジュールを前記別のBTSに送信するための命令を含む、請求項１７記載のネットワーク・コンポーネント。
【請求項２０】
別のBTSとスケジュールを調整するための前記命令が、前記別のBTSからスケジュールを受信するための命令を含む、請求項１７記載のネットワーク・コンポーネント。
【請求項２１】
前記プログラミングがさらに、前記BTSについての前記カバレッジ・エリアのエッジ上の無線装置に専用の資源を割り当てるための命令を含む、請求項１２記載のネットワーク・コンポーネント。
【請求項２２】
前記BTSが全二重モードで動作するよう構成されている、請求項１２記載のネットワーク・コンポーネント。
【請求項２３】
マルチユーザー全二重伝送無線システムにおいて複数の無線装置のための送信をスケジューリングする方法であって、当該方法は：
ベース・トランシーバ局（BTS）によって、前記BTSに無線で結合された第一の無線装置について近隣の無線装置を判別する段階と；
前記BTSによって、あるチャネル上での前記第一の無線装置から前記BTSへの送信を、前記第一の無線装置に対する前記近隣の無線装置のいずれも前記チャネル上で前記BTSからデータを受領するようスケジューリングされていないときにスケジューリングする段階と；
前記BTSによって、前記チャネル上での前記BTSから前記第一の無線装置へのデータ送信を、前記近隣の無線装置のいずれも前記チャネル上で前記BTSに送信するようスケジューリングされていないときにスケジューリングする段階とを含む、
方法。
【請求項２４】
前記第一の無線装置から前記BTSへの前記送信がチャネル・サウンディングを含む、請求項２３記載の方法。
【請求項２５】
前記第一の無線装置から前記BTSへの前記送信が制御信号伝達を含む、請求項２３記載の方法。
【請求項２６】
前記近隣の無線装置の少なくとも一つが、前記第一の無線装置とは異なるカバレッジ・エリア内にある、請求項２３記載の方法。
【請求項２７】
前記第一の無線装置が、前記BTSについてのカバレッジ・エリアのエッジにあり、前記送信が、前記BTSへのおよび異なるBTSへのチャネル・サウンディングを含む、請求項２３記載の方法。
【請求項２８】
前記第一の無線装置についての送信スケジュールを別のBTSに送る段階をさらに含む、請求項２３記載の方法。
【発明の詳細な説明】
【技術分野】
【０００１】
関連出願への相互参照
本願は2012年12月14日に出願され、「マルチユーザー全二重伝送のための干渉回避のためのシステムおよび方法」と題する米国仮特許出願第61/737,627号の利益を主張し、2013年3月13日に出願され、「マルチユーザー全二重伝送のための干渉回避、チャネル・サウンディングおよび他の信号伝達のためのシステムおよび方法」と題する米国特許出願第13/802,230号への優先権を主張するものである。両出願の内容はここに参照により、あたかもその全体において再現されているかのように組み込まれる。
【０００２】
発明の分野
本発明は、無線通信のためのシステムおよび方法に、個別的な実施形態では、マルチユーザー全二重伝送のための干渉回避のためおよび全二重伝送を使うチャネル・サウンディングに向けたシステムおよび方法に関する。
【背景技術】
【０００３】
協調マルチポイント（CoMP:  coordinated  multi-point）、干渉整列（IA:  interference  alignment）、ダーティー・ペーパー符号化（DPC:  dirty  paper  coding）、大規模複数入力複数出力（MIMO）（massive  multiple-input  multiple-output）などといった新たな技術が、無線システムのための容量向上への鍵のいくつかとなりうる。しかしながら、これらの技術によって提供される恩恵のすべては、精密なチャネル知識を必要とするため、実現されないことがありうる。周波数分割二重（FDD:  frequency  division  duplex）システムについては、さまざまなチャネル・フィードバック方式が提案されている。しかしながら、オーバーヘッド、精度およびフィードバック遅延はいまだ主要な障害である。近年、スペクトル効率を増す追求において、全二重伝送技術に対する関心が高まっている。いくつかの実際的なシステムが、全二重伝送システムが低電力伝送について送信機から自分自身の受信機への自己干渉を打ち消しうることを実証した。
【発明の概要】
【課題を解決するための手段】
【０００４】
ある実施形態によれば、マルチユーザー無線システムにおいて送信をスケジューリングする方法が、送信点によって、前記送信点のカバレッジ・エリア内に位置する複数の無線装置のそれぞれについて近隣の無線装置を判別し、前記送信点によって、前記装置の前記近隣情報に従って前記複数の無線装置のうちのそれぞれのものについての送信スケジュールを決定して、それぞれの無線装置が、該それぞれの無線装置の近隣の無線装置がデータを受信するようスケジューリングされているのとは異なる時間‐周波数資源でデータを送信するようスケジューリングされるようにすることを含む。
【０００５】
もう一つの実施形態によれば、マルチユーザー全二重伝送無線システムにおいて複数の無線装置のための送信をスケジューリングするよう構成されたネットワーク・コンポーネントが提供される。前記ネットワーク・コンポーネントは、プロセッサと、前記プロセッサによる実行のためのプログラミングを記憶しているコンピュータ可読記憶媒体とを含む。前記プログラミングは、ベース・トランシーバ局（BTS:  base  transceiver  station）のカバレッジ・エリア内に位置する複数の無線装置のそれぞれについて近隣の無線装置を判別するための命令を含む。前記プログラミングはまた、前記複数の無線装置のうちのそれぞれのものについての送信スケジュールを決定して、それぞれの無線装置が、該それぞれの無線装置の近隣の無線装置がデータを受信するようスケジューリングされているのとは異なる時間‐周波数資源でデータを送信するようスケジューリングされるようにするための命令をも含む。
【０００６】
もう一つの実施形態によれば、マルチユーザー全二重伝送無線システムにおいて複数の無線装置のための送信をスケジューリングする方法が提供される。前記方法は、ベース・トランシーバ局（BTS）に無線で結合された無線装置について近隣の無線装置を判別する段階と、あるチャネル上での前記無線装置から前記BTSへの送信を、前記無線装置に対する前記近隣の無線装置のいずれも前記チャネル上で前記BTSからデータを受領するようスケジューリングされていないときにスケジューリングする段階と、前記チャネル上での前記BTSから前記無線装置へのデータ送信を、前記近隣の無線装置のいずれも前記チャネル上で前記BTSに送信するようスケジューリングされていないときにスケジューリングする段階とを含む。
【図面の簡単な説明】
【０００７】
本発明およびその利点のより完全な理解のために、ここで付属の図面との関連で考慮される以下の記述が参照される。
【図１】データを通信するためのネットワークを示す図である。
【図２】Ａ〜Ｃは、UE送信および受信時間のBTSスケジューリングのためのある実施形態のシステムを示す図である。
【図３】Ａ〜Ｃは、UE送信および受信時間の複数BTSスケジューリングのためのある実施形態のシステムを示す図である。
【図４】Ａ〜Ｃは、UEからBTSへのチャネル・サウンディングのためのUEのBTSスケジューリングのためのある実施形態のシステムを示す図である。
【図５Ａ】UEからBTSへのチャネル・サウンディングの複数BTSスケジューリングのためのある実施形態のシステムを示す図である。
【図５Ｂ】UEからBTSへのチャネル・サウンディングの複数BTSスケジューリングのためのある実施形態のシステムを示す図である。
【図５Ｃ】UEからBTSへのチャネル・サウンディングの複数BTSスケジューリングのためのある実施形態のシステムを示す図である。
【図６】UEのスケジューリングのためのある実施形態の方法のフローチャートを示す図である。
【図７】さまざまな実施形態を実装するために使用できる処理システムである。
【発明を実施するための形態】
【０００８】
現在のところ好ましい実施形態の作成および使用が下記で詳細に論じられる。しかしながら、本発明が幅広い多様な個別的コンテキストにおいて具現されることができる多くの適用可能な発明概念を提供することは理解されるべきである。論じられる個別的な実施形態は単に本発明を作成および使用する個別的な仕方を例解するものであって、本発明の範囲を限定するものではない。
【０００９】
全二重伝送における自己干渉補正のための実証された実際的なシステムにもかかわらず、全二重伝送が、特にセルラー・システムにおいて、データを受信するときに非常に高い自己干渉打ち消しを達成できるかどうかに関しては疑問が残る。加えて、端末にとって全二重伝送を実行することはいまだコスト高である。さらに、マルチユーザー・アクセス環境では、たとえ自己干渉が打ち消されることができたとしても、近隣のユーザー装置（UE:  user  equipment）からの干渉があることもあり、それはUEのデータ受信に著しく影響することがある。他方、装置から装置への自己発見（device-to-device  self-discovery）がWiFiおよびセルラー標準団体両方において調査されつつある。UEの位置情報がGPSを介してまたは位置決めサービスを介して容易に利用可能でありうることが期待される。さまざまな実施形態において、UEはその近隣の干渉レベルをモニタリングしてもよい。
【００１０】
マルチユーザー・アクセス環境では、たとえ全二重伝送が自己干渉を低減または打ち消すことができるとしても、それはいまだ他のユーザーの干渉を受けることがありうる。この干渉は潜在的にはデータ受信をブロックすることがある。さまざまな実施形態は、全二重伝送のためのUE近隣リスト情報に基づくスケジューリングを介して、他のUEからの干渉を回避する方式を提供する。さまざまな実施形態は、さらに、UE位置、スケジューリング情報、装置から装置への発見（device  to  device  discovery）および緩和された自己干渉抑制要求をもつベース・トランシーバ局（BTS）全二重伝送（FDT:  full  duplex  transmission）機能に基づいてチャネル情報を得る方式を提供する。さまざまな実施形態において、UE近隣リストは、干渉レベルの指標をも含んでいてもよい。BTSはこの追加的情報を、UEスケジューリングを補助するために使うことができる。UE近隣リストは、論理的な近隣リストとして扱われてもよい。ここで、UEの近隣者は、このUEへの干渉があるレベルより上であるものとして定義される。BTSは、この論理的な近隣リストを、物理的な近隣リストに基づいて生成し、該論理的なリストをスケジューリングのために使用することができる。
【００１１】
ある実施形態の恩恵は、全二重伝送のためのマルチユーザー・アクセスの可能化を含んでいてもよく、これは二倍程度まで全体的な容量を高めうる。ある実施形態の他の恩恵は、追加的なチャネル状態フィードバック・オーバーヘッドなしでのFDDのためのおよび較正なしでのTDDのためのCoMP、クラウド電波アクセス・ネットワーク（CRAN:  cloud  radio  access  network）、IAおよび大規模MIMOの可能化を含んでいてもよく、それにより全体的な容量を増す。
【００１２】
ある実施形態では、BTSおよびUEの両方がFDTの機能をもつと想定して、BTSは、装置発見および／またはUE位置発見および／またはGPSを介しておよび／またはUE移動度情報および予測ならびにUE干渉測定を使って、UEの近隣リストを形成する。BTSは、他のUEのデータ受信に対する干渉を回避するために、近隣者によって使用されていない資源における下りリンク（DL:  downlink）周波数でのUEのデータ送信をスケジューリングする。ある代替的な実施形態では、BTSは、参照信号受信電力（RSRP:  reference  signal  received  power）または経路損失測定に基づいてUEを複数のグループに分割し、干渉を回避するために異なるグループからのUEをスケジューリングすることができる。
【００１３】
もう一つの実施形態では、UEがどうであれBTSがFDTの機能をもつと想定して、BTSは、装置発見および／またはUE位置発見および／またはGPSを介しておよび／または移動度情報および予測ならびにUE干渉測定を使って、UEの近隣リストを形成する。BTSは、他のUEのデータ受信に対する干渉を回避するために、DL周波数でのUEサウンディングをスケジューリングする。本稿で使われるところでは、サウンディングまたはチャネル・サウンディングという用語は交換可能に使われることがあり、無線チャネルのチャネル状態情報および／または品質を決定する諸方法を含みうる。サウンディングの主たる目的は、チャネル状態情報を決定することである。サウンディングは、UEによってパイロット・シーケンスが送られ、BTSが受信されたパイロットに基づいてチャネル応答を決定する機構である。直交周波数分割多重（OFDM）システムについては、完全なチャネル状態情報は、パイロット上の測定されたチャネルに基づいて、チャネルを補間することによって得ることができる。複数UEのパイロットが周波数、符号および時間分割を介して同時に送られることができる。OFDMは、複数の搬送波周波数（しばしば複数のサブキャリアと呼ばれる）上でデジタル・データをエンコードする方法である。OFDMシステムについては、周波数および時間領域での複数のサブキャリアがデータを送信するためにUEに割り当てられることができる。ここで、それらのサブキャリアは資源と称される。無線チャネルの品質は、信号強度、干渉の量、帯域幅、スループットまたはチャネル品質の他の指標に基づいて決定されてもよい。無線チャネルの品質は、因子の組み合わせに基づいて決定されてもよい。
【００１４】
図１は、データを通信するためのネットワーク１００を示している。ネットワーク１００は、カバレッジ・エリア１１２をもつアクセス・ポイント（AP）１１０、複数のユーザー装置（UE）１２０およびバックホール・ネットワーク１３０を含んでいる。本稿で使われるところでは、用語APは、送信点（TP:  transmission  point）、BTSまたは向上基地局（eNB）と称されることもあり、これら異なる用語は本開示を通じて交換可能に使われることがある。AP  １１０は、BTS、eNB、フェムトセルおよび他の無線機能のある装置といった、中でもUE  １２０との上りリンク（破線）および／または下りリンク（点線）接続によって無線アクセスを提供することができるいかなるコンポーネントを含んでいてもよい。UE  １２０は、AP  １１０との無線接続を確立することができるいかなるコンポーネントを含んでいてもよい。バックホール・ネットワーク１３０は、AP  １１０とリモート・エンド（図１には示さず）との間でデータが交換されることを許容するいかなるコンポーネントまたはコンポーネントの集合であってもよい。いくつかの実施形態では、ネットワーク１００は、リレー、フェムトセルなどといったさまざまな他の無線装置を含んでいてもよい。
【００１５】
図２のＡ〜Ｃは、同じチャネル資源上でのUE送信および受信期間のBTSスケジューリングのためのある実施形態のシステム２００を示している。システム２００は、図１に示されるネットワーク１００と同様であってもよい。図２のＡに示されるように、システム２００は、BTS  ２０４および複数のUE  ２０６を含んでいてもよい。BTS  ２０４は図のようなカバレッジ・エリア２０２を有していてもよい。BTS  ２０４は、UE  ２０６との上りリンク（UL）および下りリンク（DL）を確立することのできるいかなる装置であってもよい。DLは、BTS  ２０４からUE  ２０６への伝送リンクを指し、ULはUE  ２０６からBTS  ２０４への伝送リンクを指す。
【００１６】
BTS  ２０４は、BTS  ２０４が同時に同じチャネル上でデータを送受信することを許容する全二重を利用してもよい。本稿で使われるところでは、チャネルとは、周波数キャリアを指す。全二重システムにおけるDLおよびULは同じチャネルを使うことがある。BTS  ２０４は、UE  ２０６の近隣者を受信または決定し、同定された近隣者に基づいてUS  ２０６が送受信するためのスケジュールを決定することができる処理システムを含んでいてもよい。UE  ２０６は無線装置と称されてもよい。UE  ２０６は、BTS  ２０４との無線接続を確立することができるいかなる装置であってもよい。無線装置の例は、携帯電話、スマートフォン、テーブル・コンピュータ、ラップトップ・コンピュータなどを含む。UE  ２０６の一つ、いくつかまたは全部が全二重送受信の機能を有していてもよい。あるいはまた、UE  ２０６のどれも全二重送受信の機能を有さなくてもよい。よって、ある実施形態は、UE  ２０６が全二重または半二重で機能する一方で、BTS  ２０４が全二重で機能することを許容する。本稿で使われるところでは、全二重モードで動作する装置は、同時に同じチャネル上で送信および受信しうる。本稿で使われるところでは、時分割二重（TDD:  time  division  duplex）システムでは、半二重モードで動作する装置は、同じチャネル上で送信および受信の両方をしうるが、同時にそうすることはできない（たとえば、該装置は、前記チャネル上で送信し、次いで後刻に同じチャネル上で受信する）。周波数分割二重（FDD:  frequency  division  duplex）システムでは、UEは同時に、ただし異なる周波数チャネル上で送信および受信する。「X」を付けた破線は、該破線で接続されたUE  ２０６が互いの近隣者ではないことを示す。
【００１７】
図２のＢは、図２のＡにおいて同定されているUE  ２０６についてのUE  ２０６近隣者リスト２２０を示している。UE1の近隣者はUE2であってもよい。UE2の近隣者はUE1およびUE3であってもよい。UE3の近隣者はUE2およびUE4であってもよい。UE4の近隣者はUE3であってもよい。各UE  ２０６についての近隣者リストはUE  ２０６によって決定され、UE  ２０６からBST  ２０４に送信されてもよい。BTS  ２０４は各UE２０６についての近隣者リストを使って、BTS  ２０４のカバレッジ・エリア２０２内のすべてのUE  ２０６についてのマスター近隣者リストをコンパイルしてもよい。各UE  ２０６は、他のUE２０６の信号強度を測定することによって、その近隣者を判別してもよい。そのような測定目的のためにいくつかのビーコン／パイロットが挿入されたり、あるいは専用にされたりしてもよい。各UE  ２０６からの信号は、該UE  ２０６を同定する、該UE  ２０６についての識別子を提供する、あるいは他の仕方で該UE  ２０６の識別情報を提供することができる。UE  ２０６の信号強度がある閾値を超える場合、UE  ２０６は、近隣者と考えられてもよい。特定のUE  ２０６における信号強度がある閾値を超えないUE  ２０６は、近隣者とは考えられなくてもよい。それらの信号は、測定するUE  ２０６における有意な干渉を引き起こすのに十分なほど強くないことがありうるからである。UE  ２０６によって他のUE  ２０６から受信される信号は識別子を含んでいてもよい。近隣者または近隣無線装置の定義は、実装に依存して変わることがあり、ある実施形態では、別の無線装置への干渉を引き起こすことができるまたは引き起こしている無線装置であってもよい。
【００１８】
あるいはまた、BTS  ２０４は、（たとえば全地球測位システム（GPS）または他の位置決定方法を使って）UE  ２０６の位置（単数または複数）を決定し、各UE  ２０６についての近隣者リストを、他のUE  ２０６へのその近接性に基づいて決定してもよい。位置情報に加えて、BTS  ２０４は各UE  ２０６の型をも決定し、この情報を、各UE  ２０６についての近隣者リストを決定することにおいて使ってもよい。異なる型のUE  ２０６は異なる信号強度特性をもつことがあるからである。BTS  ２０４は、該BTSに前記情報を提供する諸UE  ２０６の諸近隣者リストを使ってもよく、独立して近隣者リストを決定することができなくてもよい他のUE  ２０６についての近隣者リストを決定してもよい。UE  ２０６で決定された近隣者およびBTS  ２０４で決定された近隣者の組み合わせが、UE  ２０６近隣者のマスター・リストを生成するために使われてもよい。
【００１９】
UE  ２０６はカバレッジ・エリア２０２内で移動することがあり、カバレッジ・エリア２０２の外に出ることがあり、あるいは電源を落とされる（たとえばオフにされる）ことがあるので、近隣者リストは、時間とともに動的に変化してもよい。加えて、他のUE  ２０６が電源投入される（たとえばオンにされる）ことがあり、あるいはカバレッジ・エリア２０２にはいることがある。よって、ある時点において互いの近隣者と考えられうるUE  ２０６は別の時点では近隣者ではないことがある。近隣者リストは時間とともに動的に変わりうるので、BTS  ２０４によって決定されるスケジュールは時間とともに変わりうる。マスター近隣者リストおよびスケジュールは、定期的に、あるいはBTS  ２０４がUE２０６近隣者の一つまたは複数が変化したことを判別するときに、更新されてもよい。
【００２０】
このマスター近隣者リストから、BTS  ２０４はUE  ２０６についての送受信スケジュール２３０を決定してもよい。送受信スケジュールは、UE  ２０６に対するいかなる近隣者も、該UE  ２０６と同じ資源を、該UE  ２０６が該資源をデータを受信するために使っているときに使って送信することがないよう、決定されてもよい。それにより、カバレッジ・エリア２０２内の他のUE  ２０６によって引き起こされる、該受信UE  ２０６によって経験される干渉効果が緩和される。
【００２１】
図２のＣに示されるように、UE1の近隣者でない任意の者、すなわちUE3およびUE4は、UE1がBTS  ２０４からデータを受信している間にUE1と同じ資源を使って（たとえばUE1と同じサブキャリア上で同時に）データを送信できる。同様に、UE2の近隣者でない任意の者、すなわちUE4は、UE2と同じ資源を使って（たとえばUE2と同じサブキャリア上で同時に）データを送信してもよい。逆に、UE3がBTS  ２０４からデータを受信するとき、UE1はBTS  ２０４に対して同じ資源上でデータを送信してもよい。しかしながら、UE2およびUE4は、UE3の近隣者なので、同じ資源を使ってデータを送信することはできない。全二重伝送の機能をもつ任意のUE  ２０６は同時にデータを受信および送信しうることを注意しておくべきである。該UE  ２０６は、その自己干渉を認識することができ、該自己干渉を打ち消すまたは緩和するためのよく知られた諸方法を利用することができるからである。
【００２２】
四つのUE  ２０６を参照して記述されているが、システム２００はいくつのUE  ２０６を含んでいてもよく、四個に限定されるものではない。加えて、UE  ２０６は三つ以上の近隣者を有することもあり、一つだけの近隣者を有することもあり、あるいは近隣者をもたないこともある。
【００２３】
図３のＡ〜Ｃは、UE送受信時刻の複数BTSスケジューリングのためのある実施形態のシステム３００を示している。システム３００は、単一のBTSの代わりに複数のBTSを含んでいるほかは、図２のＡに示されるシステム２００と同様であってもよい。図３のＡに示されるように、システム３００は、複数のBTS  ３０６および複数のUE  ３０８を含んでいてもよい。各BTS  ３０６はそれ自身のカバレッジ・エリア３０２、３０４を有していてもよい。図のように、BTS1は、UE11、UE12およびUE14を含んでいてもよいカバレッジ・エリア３０２を有する。BTS2は、UE21、UE22およびUE24を含んでいてもよいカバレッジ・エリア３０４を有する。各BTS  ３０６は図２のＡにおけるBTS  ２０４と同様であってもよい。UE  ３０８は、図２のＡにおけるUE  ２０６と同様であってもよい。BTS  ３０６は、図２のＡ〜Ｃを参照して上述したように、前記複数のUE  ３０８についての近隣者を決定してもよい。
【００２４】
UE14およびUE21は、それぞれのカバレッジ・エリア３０２、３０４のエッジにあってもよい。よって、UE14およびUE21は互いに対する近隣者であってもよく、たとえ異なるBTS  ３０６と通信するのであっても、潜在的に互いにおける干渉を引き起こしうる。したがって、BTS1およびBTS2は、UE14およびUE21が、他方がデータを受信している間にデータを送信しないよう、それらの送信および受信スケジュールを調整してもよい。ある実施形態では、両方のカバレッジ・エリア３０２、３０４についてのUE近隣者を含むマスター近隣者リストが生成されてもよい。BTS1は、両方のカバレッジ・エリア３０２、３０４内のUE  ３０８すべてについての送信および受信スケジュールを決定してもよい。該スケジュールは、図１に描かれているバックホール・ネットワーク１３０のようなバックホール・ネットワーク（図示せず）を通じてBTS2に送信されてもよい。BTS1およびBTS2の両方は、UE自身のカバレッジ・エリア３０２、３０４内および近隣のカバレッジ・エリア３０２、３０４内両方の諸近隣者UE  ３０８が、ある近隣者UE  ３０８がBTS  ３０６からデータを受信しているときに送信することを防止するよう前記スケジュールを使ってもよい。BTS1およびBTS2は、前記スケジュールの生成を交互にしてもよいし、あるいはどちらが前記スケジュールを生成するかを定期的にまたは時折切り換えてもよい。あるいはまた、両BTS３０６は、同じ近隣者リストに基づいて、前記スケジュールを計算する同じアルゴリズムを使って前記スケジュールを生成してもよい。それにより、両BTS  ３０６が同じスケジュールを実行することが保証される。もう一つの実施形態では、中央コントローラ（図３のＡには示さず）がBTS1およびBTS2両方のためのスケジューリングを担当し、スケジュールをBTS1およびBTS2の両方に転送してもよい。
【００２５】
図３のＢは、図３のＡにおいて同定されるUE  ３０８についてのUE  ３０８近隣者リスト３２０を示している。図のように、UE11についての近隣者はUE12であってもよく、UE12についての近隣者はUE11およびUE14であってもよく、UE14についての近隣者はUE12およびUE21であってもよく、UE21についての近隣者はUE14およびUE23であってもよく、UE23についての近隣者はUE21およびUE24であってもよく、UE24についての近隣者はUE23であってもよい。
【００２６】
図３のＣに示されるように、図３のＢの近隣者リストに基づいて、部分的UE送信および受信スケジュール３３０が示されている。該部分的UE送信および受信スケジュール３３０は、すべての時点についてのUE全部についてのスケジュールを示すものではない。図のように、同時に、UE11はBTS1からデータを受信してもよく、UE23はBTS2からデータを受信してもよく、UE14はBTS1にデータを送信してもよい。UE12、UE24およびUE21は今回はこの時点においては送信できない。別の時点において、同時に、UE12はBTS1からデータを受信してもよく、UE24はBTS2からデータを受信してもよく、UE21はBTS2にデータを送信してもよい。このようにして、どのUE  ３０８も、その近隣者UE  ３０８がBTS  ３０６からデータを受信している間は送信していない。それにより、データを受信しているUE2  ３０８についての干渉の源が解消される。
【００２７】
あるいはまた、スケジューリング情報を互いと共有するのではなく、各BTS  ３０６は、セル・エッジUEのサウンディングのためにある領域をリザーブしてもよい。また、ある実施形態では、BTS1およびBTS2の両方が、カバレッジ・エリア３０２およびカバレッジ・エリア３０４の両方のエッジに近いエッジUE  ３０８から（たとえばUE  １４から）サウンディング信号を受信してもよい。
【００２８】
システム３００は、二つのBTS  ３０６および六つのUE  ３０８を参照して記述されているが、いくつかの実施形態では、BTSの数は二つより多くてもよく、UEの数は異なっていてもよい。加えて、UE  ３０８は三つ以上の近隣者を有していてもよく、あるいは近隣者をもたなくてもよい。
【００２９】
図４のＡ〜Ｃは、UEのBTSスケジューリングのためのもう一つの実施形態のシステム４００を示している。システム４００は、図２のＡに描かれているシステム２００と実質的に同様であってもよい。システム２００は、BTS  ４０４および複数のUE  ４０６を有していてもよい。BTS  ４０４はカバレッジ・エリア４０２を有していてもよい。BTS  ４０４は、図２のＡにおいて描かれているBTS  ２０４と実質的に同様であってもよく、UE  ４０６は、図２のＡに描かれているUE  ２０６と実質的に同様であってもよい。BTS  ４０６は、そのカバレッジ・エリア４０２内のUE  ４０６についてのマスター近隣者リストを受信または決定してもよい。BTS  ４０６は、図２のＡ〜Ｃを参照して上述したもののような任意の数の仕方でUE  ４０６についての近隣者を決定してもよい。この近隣者リストから、BTS  ４０４はDLでのBTSからUEへのデータ送信をスケジューリングし、同時に、同じDL上で、チャネル・サウンディングを実行するよう非近隣UE  ４０６をスケジューリングしてもよい。近隣UE  ４０６は、その近隣者UE  ４０６の一つがDL上でのBTSからUEへのデータ送信を受信している間はチャネル・サウンディングを実行できない。
【００３０】
BTS  ４０４は、まずDL上でのBTSからUEへのデータ送信をスケジューリングしてもよく、次いで、DLデータ送信への干渉BTSを回避するために、非近隣UEについてDL上でUEからBTSへのチャネル・サウンディングをスケジューリングしてもよい。あるいはまた、BSはまずDL上でUEからBTSへのチャネル・サウンディングをスケジュールし、次いでDL上でのBTSからUEへのデータ送信をスケジューリングすることができる。高移動度UEについては、BTSは専用の資源をリザーブしてそれらの資源上ではサウンディングがないようにすることができ、あるいは移動度情報および予測に基づいて近隣者リストを更新することができる。ある実施形態では、高移動度UEのサウンディング・チャネルはあるUL周波数で送信されてもよい。セル・エッジについては、諸BTS  ４０４がスケジューリングを調整しない場合、専用の資源は、DL上でのBTSからUEへのデータ送信のために使われることもできる。
【００３１】
図４のＢは、図４のＡで同定されるUEについてのUE近隣者リスト４２０を示している。図のように、UE1の近隣者はUE2であってもよく、UE2の近隣者はUE1およびUE3であってもよく、UE3の近隣者はUE2およびUE4であってもよく、UE4の近隣者はUE3であってもよい。チャネル・サウンディングおよびBTSからUEへのデータ送信のための部分的スケジュール４３０が図４のＣに示されている。UE1の近隣者でない任意のもの、たとえばUE3およびUE4についてのチャネル・サウンディングが、BTSからUEへのデータ送信がUE1について生起しているときに実行されてもよい。しかしながら、UE1の近隣者、たとえばUE2は、UE1がBTS  ４０４からデータを受信している間はチャネル・サウンディングを実行できない。描かれているように、DL上でのBTSからUEへのデータ送信は、UE3（UE1に対する非近隣UE）がDL上でUEからBTSへのチャネル・サウンディングを実行する間に、UE1について実行されてもよい。DL上でのBTSからUEへのデータ送信は、UE4（UE2に対する非近隣UE）がDL上でUEからBTSへのチャネル・サウンディングを実行する間に、UE2について実行されてもよい。DL上でチャネル・サウンディングを実行しているUE  ４０６は、キャリア・アグリゲーション（CA:  carrier  aggregation）を使って同時にUL上でデータを送信してもよい。
【００３２】
四つのUE  ４０６を参照して記述されているが、システム４００はいくつのUE  ４０６を含んでいてもよく、四個に限定されるものではない。加えて、UE  ４０６は三つ以上の近隣者を有することもあり、一つだけの近隣者を有することもあり、あるいは近隣者をもたないこともある。
【００３３】
図５Ａ〜図５Ｃは、UEからBTSへのサウンディングの複数BTSスケジューリングのためのある実施形態のシステム５００を示している。システム５００は、図３に描かれたシステム３００と実質的に同様であってもよい。システム５００は、複数のBTS  ５０６および複数のUE  ５１０を含んでいてもよい。各BST  ５０６は対応するカバレッジ・エリア５０２を有していてもよい。BTS  ５０６は、図２のＡ〜Ｃを参照して上述したのと同様の仕方で近隣の装置を決定してもよい。システム３００と同様の仕方で、システム５００におけるBTS  ５０６は、他のBTS  ５０６と、UEからBTSへのサウンディングのスケジューリングを調整してもよい。それにより、カバレッジ・エリア５０２、５０４のエッジ上で、異なるカバレッジ・エリア５０２、５０４内のUEの近くにあるUE  ５１０が、DL上でサウンディングを実行するときにそのサウンディング送信が、異なるBTS  ５０６に対応する異なるカバレッジ・エリア５０２、５０４内にあることがありうる近隣UE  ５０２におけるBTSからUEへのデータ送信に干渉しないよう、スケジューリングされる。
【００３４】
図５Ｂは、図５Ａにおいて同定されるUEについてのUE近隣者リスト５２０を示している。図のように、UE11の近隣者はUE12であってもよく、UE12の近隣者はUE11およびUE14であってもよく、UE14の近隣者はUE12およびUE21であってもよく、UE21の近隣者はUE14であってもよく、UE23の近隣者はUE21およびUE24であってもよく、UE24の近隣者はUE23であってもよい。チャネル・サウンディングおよびBTSからUEへのデータ送信のための部分的スケジュール５３０が図５Ｃに示されている。UE11の近隣者でない任意の者、たとえばUE14、UE21、UE23およびUE24についてのチャネル・サウンディングは、UE11についてBTSからUEへのデータ送信が生起しているときに実行されてもよい。しかしながら、UE11の近隣者、たとえばUE12は、UE11がBTS  ５０６からデータを受信している間はチャネル・サウンディングを実行できない。描かれているように、DL上でのBTSからUEへのデータ送信は、UE11およびUE23については、UE14（UE11およびUE23に対して非近隣UE）がDL上でUEからBTSへのチャネル・サウンディングを実行する間に、実行されてもよい。DL上でのBTSからUEへのデータ送信は、UE12およびUE24については、UE21（UE12およびUE24に対して非近隣UE）がDL上でUEからBTSへのチャネル・サウンディングを実行する間に実行されてもよい。
【００３５】
システム５００は、二つのBTS  ５０６および六つのUE  ５１０を参照して記述されているが、いくつかの実施形態では、BTSの数は二つより多くてもよく、UEの数は異なっていてもよい。加えて、ある実施形態では、UE  ５１０は三つ以上の近隣者を有していてもよく、あるいは近隣者をもたなくてもよい。
【００３６】
実施形態は、DL上でのUEからBTSへのチャネル・サウンディングに限定されない。たとえば、実施形態は、低データ・レート拡散、低データ・レート・トラフィック、高度に保護された制御チャネルなどを含む、DL周波数キャリア上でのUEからBTSへのデータおよび制御信号伝達送信を含んでいてもよい。ある実施形態では、UEがDL上で低レート・データを送る場合、自己干渉打ち消しが緩和されることができるよう、データを（たとえば符号分割多重アクセス（CDMA）によりまたは諸OFDMサブキャリアにわたって拡散させて）拡散させることが好ましいことがありうる。実施形態はまた、UL上での全二重伝送のために使われてもよい。さらに、TDDシステムについては、実施形態は、カスタマイズされたDL/UL構成設定の生成を含んでいてもよい。加えて、データ伝送およびサウンディングを信号伝達する多様な仕方がある。また、チャネル・サウンディングは、周期的に、あるいは非周期的な間隔で時折スケジューリングされてもよい。さらに、チャネルを使って記述されているが、開示されるシステムおよび方法は、BTSと無線装置との間でデータを通信するためのいかなる時間‐周波数資源にも適用されうる。
【００３７】
図６は、UEのスケジューリングのためのある実施形態の方法６００のフローチャートを示している。方法６００はたとえば、図１におけるBTS  １１０のようなBTS、図２のＡにおけるBTS  ２０４、図３のＡにおけるBTS  ３０６、図４のＡにおけるBTS  ４０４または図５ＡにおけるBTS  ５０６において実装されてもよい。方法６００は、BTSがBTSカバレッジ・エリア内の複数のUEのそれぞれについて近隣者を同定してもよい６０２において始まってもよい。ある実施形態では、BTSのカバレッジ・エリア内のUEの一部または全部がその近隣者をBTSに報告してもよい。BTSは、他のBTSのカバレッジ・エリア内にあるUEについての近隣者をも同定してもよい。ブロック６０４では、BTSは、UEが、近隣のUEがBTSからUEへの送信データを受信するようスケジューリングされているときには、送信するようスケジューリングされないように、前記複数のUEのための送信スケジュールを決定する。UEは、近隣でないUEについてBTSからUEへのデータ送信がスケジューリングされている時間の間には、UEからBTSへの送信を実行してもよい。UEからBTSへの送信は、UEからBTSへのチャネル・サウンディングと、UEからBTSへのデータ送信と、低データ・レート拡散、高度に保護された制御チャネルなどを含むDLでのUEからBTSへのデータおよび制御信号伝達送信を含んでいてもよい。ブロック６０６では、BTSは送信スケジュールをUEに送信してもよく、その後、方法６００は終了してもよい。
【００３８】
図７は、本稿に開示される装置および方法を実装するために使用されうる処理システム７００のブロック図である。特定の装置は、図示したコンポーネントの全部、あるいはそれらのコンポーネントの部分集合のみを利用してもよく、統合のレベルは装置によって変わりうる。さらに、装置は、複数の処理ユニット、プロセッサ、メモリ、送信機、受信機など、コンポーネントの複数のインスタンスを含んでいてもよい。処理システム７００は、スピーカー、マイクロフォン、マウス、タッチスクリーン、キーパッド、キーボード、プリンタ、ディスプレイなどといった一つまたは複数の入出力装置を備えた処理ユニット７０１を有していてもよい。処理ユニット７０１は、バス７４０に接続された、中央処理ユニット（CPU）７１０、メモリ７２０、大容量記憶装置７３０、ネットワーク・インターフェース７５０およびI/Oインターフェース７６０を含んでいてもよい。
【００３９】
バス７４０は、メモリ・バスまたはメモリ・コントローラ、周辺バス、ビデオ・バスなどを含む任意の型のいくつかのバス・アーキテクチャの一つまたは複数であってもよい。CPU  ７１０は任意の型の電子データ処理器を有していてもよい。メモリ７２０は、静的ランダム・アクセス・メモリ（SRAM）、動的ランダム・アクセス・メモリ（DRAM）、同期DRAM（SDRAM）、読み出し専用メモリ（ROM）、それらの組み合わせなどといった、任意の型のシステム・メモリを有していてもよい。ある実施形態では、メモリ７２０は、ブートアップ時に使うためのROMおよびプログラムを実行する間に使うためのプログラムおよびデータ記憶のためのDRAMを含んでいてもよい。
【００４０】
大容量記憶装置７３０は、データ、プログラムおよび他の情報を記憶し、該データ、プログラムおよび他の情報をバス７４０を介してアクセス可能にするよう構成されている任意の型の記憶装置を有していてもよい。大容量記憶装置７３０はたとえば、半導体ドライブ、ハードディスクドライブ、磁気ディスクドライブ、光ディスクドライブなどの一つまたは複数を有していてもよい。
【００４１】
I/Oインターフェース７６０は、外部入力および出力装置を処理ユニット７０１に結合するためのインターフェースを提供してもよい。I/Oインターフェース７６０はビデオ・アダプターを含んでいてもよい。入力および出力装置の例は、前記ビデオ・アダプターに接続されるディスプレイおよび前記I/Oインターフェースに結合されるマウス／キーボード／プリンタを含んでいてもよい。他の装置が処理ユニット７０１に結合されていてもよく、追加的なまたはより少数のインターフェース・カードが利用されてもよい。たとえば、ユニバーサル・シリアル・バス（USB）（図示せず）のようなシリアル・インターフェースが、プリンタのためのインターフェースを提供するために使われてもよい。
【００４２】
処理ユニット７０１は、諸ノードまたは異なる諸ネットワークにアクセスするために、イーサネット・ケーブルなどのような有線リンクおよび／または無線リンクを有していてもよい、一つまたは複数のネットワーク・インターフェース７５０をも含んでいてもよい。ネットワーク・インターフェース７０１は、処理ユニットがネットワーク７８０を介してリモート・ユニットと通信することを許容する。たとえば、ネットワーク・インターフェース７５０は、一つまたは複数の送信機／送信アンテナおよび一つまたは複数の受信機／受信アンテナを介して無線通信を提供してもよい。ある実施形態では、処理ユニット７０１は、データ処理および他の処理ユニット、インターネット、リモート記憶施設などといったリモート装置との通信のために、ローカル・エリア・ネットワークまたは広域ネットワークに結合される。
【００４３】
本記述は詳細に記述されてきたが、付属の請求項によって定義される本開示の精神および範囲から外れることなく、さまざまな変化、置換および変更がなされることができることは理解されるべきである。さらに、当業者は、本開示から、現在存在しているまたはのちに開発されるプロセス、機械、製造物、物質組成、手段、方法またはステップが、本稿に記載される対応する実施形態と実質的に同じ機能を実行するまたは実質的に同じ結果を達成することがありうることを容易に理解するであろうから、本開示の範囲は、本稿に記載される特定の実施形態に限定されることは意図されていない。よって、付属の請求項は、そのようなプロセス、機械、製造物、物質組成、手段、方法またはステップをその範囲内に含むことが意図されている。
【図１】
2016503977.tif 000003
【図２】
2016503977.tif 000004
【図３】
2016503977.tif 000005
【図４】
2016503977.tif 000006
【図５Ａ】
2016503977.tif 000007
【図５Ｂ】
2016503977.tif 000008
【図５Ｃ】
2016503977.tif 000009
【図６】
2016503977.tif 000010
【図７】
2016503977.tif 000011
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
マルチユーザー無線システムにおいて送信をスケジューリングする方法であって：
送信点によって、前記送信点のカバレッジ・エリア内に位置する複数の無線装置のそれぞれについて近隣の無線装置を判別する段階と；
前記送信点によって、前記近隣の装置の近隣情報に従って前記複数の無線装置のうちのそれぞれのものについての送信スケジュールを決定して、それぞれの無線装置が、該それぞれの無線装置の近隣の無線装置がデータを受信するようスケジューリングされているのとは異なる時間‐周波数資源でデータを送信するようスケジューリングされるようにする段階とを含む、
方法。
【請求項２】
別のBTSとスケジュールを調整する段階をさらに含み、
別のBTSとスケジュールを調整する段階が、当該BTSについての前記カバレッジ・エリア内および前記別のBTSについてのカバレッジ・エリア内の無線装置についての近隣者を判別することを含み、当該BTSについての前記カバレッジ・エリア内の少なくとも一つの無線装置が、前記別のBTSについての前記カバレッジ・エリア内の少なくとも一つの無線装置に対して近隣者である、請求項１記載の方法。
【請求項３】
別のBTSとスケジュールを調整する段階をさらに含み、
別のBTSとスケジュールを調整する段階が、当該BTSについての前記カバレッジ・エリア内の前記無線装置および前記別のBTSについてのカバレッジ・エリア内の前記無線装置についてのスケジュールを決定し、該スケジュールを前記別のBTSに送信することを含む、請求項１記載の方法。
【請求項４】
無線装置を、非近隣無線装置が第一の時間‐周波数資源上で前記送信点からデータを受信するようスケジューリングされているのと同時に前記第一の時間‐周波数資源上で、前記送信点にデータを送信するようスケジューリングする段階をさらに含む、請求項１記載の方法。
【請求項５】
無線装置を、非近隣無線装置が第一の時間‐周波数資源上で前記送信点からデータを受信するようスケジューリングされているのと同時に前記第一の時間‐周波数資源上で、チャネル・サウンディング、制御信号伝達および低データ・レート・トラフィックのうちの一つを送信するようスケジューリングする段階をさらに含む、請求項１記載の方法。
【請求項６】
前記送信点についての前記カバレッジ・エリアのエッジ上の無線装置に専用の資源が割り当てられる、請求項１記載の方法。
【請求項７】
前記送信点が全二重モードで動作する、請求項１記載の方法。
【請求項８】
マルチユーザー全二重伝送無線システムにおいて複数の無線装置のための送信をスケジューリングするよう構成されたネットワーク・コンポーネントであって：
プロセッサと；
前記プロセッサによる実行のためのプログラミングを記憶しているコンピュータ可読記憶媒体とを有しており、前記プログラミングは：
ベース・トランシーバ局（BTS）のカバレッジ・エリア内に位置する前記複数の無線装置のそれぞれについて近隣の無線装置を判別し；
前記複数の無線装置のうちのそれぞれのものについての送信スケジュールを決定して、それぞれの無線装置が、該それぞれの無線装置の近隣の無線装置がデータを受信するようスケジューリングされているのとは異なる時間‐周波数資源でデータを送信するようスケジューリングされるようにする
ための命令を含む、ネットワーク・コンポーネント。
【請求項９】
前記プログラミングがさらに、別のBTSとスケジュールを調整するための命令を含み、
別のBTSとスケジュールを調整するための前記命令が、当該BTSについての前記カバレッジ・エリア内および前記別のBTSについてのカバレッジ・エリア内の無線装置についての近隣者を判別するための命令を含み、当該BTSについての前記カバレッジ・エリア内の少なくとも一つの無線装置が、前記別のBTSについての前記カバレッジ・エリア内の少なくとも一つの無線装置に対して近隣者である、請求項８記載のネットワーク・コンポーネント。
【請求項１０】
前記プログラミングがさらに、別のBTSとスケジュールを調整するための命令を含み、
別のBTSとスケジュールを調整するための前記命令が、当該BTSについての前記カバレッジ・エリア内の前記無線装置および前記別のBTSについてのカバレッジ・エリア内の前記無線装置についてのスケジュールを決定し、該スケジュールを前記別のBTSに送信するための命令を含む、請求項８記載のネットワーク・コンポーネント。
【請求項１１】
前記プログラミングがさらに、無線装置を、非近隣無線装置が第一の時間‐周波数資源上で前記BTSからデータを受信するようスケジューリングされているのと同時に前記第一の時間‐周波数資源上で、前記BTSにデータを送信するようスケジューリングするための命令を含む、請求項８記載のネットワーク・コンポーネント。
【請求項１２】
前記プログラミングがさらに、無線装置を、非近隣無線装置が第一の時間‐周波数資源上で前記BTSからデータを受信するようスケジューリングされているのと同時に前記第一の時間‐周波数資源上で、チャネル・サウンディング、制御信号伝達および低データ・レート・トラフィックのうちの一つを送信するようスケジューリングするための命令を含む、請求項８記載のネットワーク・コンポーネント。
【請求項１３】
前記プログラミングがさらに、前記BTSについての前記カバレッジ・エリアのエッジ上の無線装置に専用の資源を割り当てるための命令を含む、請求項８記載のネットワーク・コンポーネント。
【請求項１４】
前記BTSが全二重モードで動作するよう構成されている、請求項８記載のネットワーク・コンポーネント。
【請求項１５】
マルチユーザー全二重伝送無線システムにおいて複数の無線装置のための送信をスケジューリングする方法であって、当該方法は：
ベース・トランシーバ局（BTS）によって、前記BTSに無線で結合された第一の無線装置について近隣の無線装置を判別する段階と；
前記BTSによって、あるチャネル上での前記第一の無線装置から前記BTSへの送信を、前記第一の無線装置に対する前記近隣の無線装置のいずれも前記チャネル上で前記BTSからデータを受領するようスケジューリングされていないときにスケジューリングする段階と；
前記BTSによって、前記チャネル上での前記BTSから前記第一の無線装置へのデータ送信を、前記近隣の無線装置のいずれも前記チャネル上で前記BTSに送信するようスケジューリングされていないときにスケジューリングする段階とを含む、
方法。
【請求項１６】
前記近隣の無線装置の少なくとも一つが、前記第一の無線装置とは異なるカバレッジ・エリア内にある、請求項１５記載の方法。
【請求項１７】
前記第一の無線装置が、前記BTSについてのカバレッジ・エリアのエッジにあり、前記送信が、前記BTSへのおよび異なるBTSへのチャネル・サウンディングを含む、請求項１５記載の方法。
【請求項１８】
前記第一の無線装置についての送信スケジュールを別のBTSに送る段階をさらに含む、請求項１５記載の方法。
【手続補正２】
【補正対象書類名】明細書
【補正対象項目名】００２９
【補正方法】変更
【補正の内容】
【００２９】
図４のＡ〜Ｃは、UEのBTSスケジューリングのためのもう一つの実施形態のシステム４００を示している。システム４００は、図２のＡに描かれているシステム２００と実質的に同様であってもよい。システム２００は、BTS  ４０４および複数のUE  ４０６を有していてもよい。BTS  ４０４はカバレッジ・エリア４０２を有していてもよい。BTS  ４０４は、図２のＡにおいて描かれているBTS  ２０４と実質的に同様であってもよく、UE  ４０６は、図２のＡに描かれているUE  ２０６と実質的に同様であってもよい。BTS  ４０４は、そのカバレッジ・エリア４０２内のUE  ４０６についてのマスター近隣者リストを受信または決定してもよい。BTS  ４０６は、図２のＡ〜Ｃを参照して上述したもののような任意の数の仕方でUE  ４０６についての近隣者を決定してもよい。この近隣者リストから、BTS  ４０４はDLでのBTSからUEへのデータ送信をスケジューリングし、同時に、同じDL上で、チャネル・サウンディングを実行するよう非近隣UE  ４０６をスケジューリングしてもよい。近隣UE  ４０６は、その近隣者UE  ４０６の一つがDL上でのBTSからUEへのデータ送信を受信している間はチャネル・サウンディングを実行できない。
【国際調査報告】
2016503977.tif 000012
2016503977.tif 000013